(57)【特許請求の範囲】
【請求項１】
紙等の転写対象物に転写物を転写する転写部を有する転写具本体と、当該転写具本体に付帯させてなる転写対象物受け台とを具備してなり、前記転写具本体と前記転写対象物受け台との間に前記転写対象物を挟んだ状態で前記転写具本体の長手方向である所定の転写方向へスライド移動させることにより前記転写対象
物に前記転写物を転写するように構成している転写具であって、
前記転写対象物の縁部に当接することにより前記スライド移動時に前記転写対象物を前記転写方向と同方向に案内し得る前記転写具本体に設けられたガイド面と、前記転写方向から前記ガイド面へ向けて所定角度偏向させて配置することにより前記スライド移動時に前記転写対象物を前記ガイド面へ向けて付勢し得る偏向ローラとを具備していることを特徴とする転写具。
【請求項２】
前記偏向ローラを、転写具本体側と転写対象物受け台側とのそれぞれ対向する位置に互いに鏡像の位置関係となるように設けている請求項１記載の転写具。
【請求項３】
前記偏向ローラを、前記転写部よりも転写方向における転写基端側に配置している請求項１又は２記載の転写具。
【請求項４】
前記偏向ローラを偏向させる前記所定角度を１度〜１０度に設定している請求項１、２又は３記載の転写具。
【請求項５】
前記転写対象物受け台を前記転写具本体に対して所定方向に回転移動させることにより前記転写対象物を挟持し得る挟持可能位置と前記転写部の先端部を表出させてなる転写部表出位置との間で相対移動させる回転移動機構を設けている請求項１、２、３又は４記載の転写具。
【発明の詳細な説明】
【技術分野】
【０００１】
本発明は、転写物を紙等の転写対象物に転写する際に用いられる転写具に関するものである。
【背景技術】
【０００２】
従来、固体又は液体糊、粘着テープや粘着性を有しないテープ等のテープ類、接着剤等の転写物を紙葉類等の転写対象物に転写する際に用いる転写具が各種考えられている。このような転写物を転写するための転写具は、転写物を内部に保持するケースと、ケース内に保持された転写物を転写対象物に送り出すための転写ヘッドとを備えているのが通例である。この転写ヘッドは、転写対象物に接触して転写物を転写対象物に転写するものである。このような転写具は、使用者がホルダを手に持ち、転写対象面に転写ヘッドを接触させた状態で転写対象物上をスライド移動させることによって、転写物を転写対象面に転写するように構成されている（例えば、特許文献１参照）。
【０００３】
また、上述した、従来のものよりも、転写時に転写対象物を敷くためのテーブルや机等の台を用いる必要がなく、場所を選ぶことなくどこでも簡単に転写することを目的として、転写物を転写する転写具本体に対向する位置に転写対象物受け台を付帯させて、転写具本体と前記転写対象物受け台との間に転写対象物を挟んだ状態で所定の転写方向へスライド移動させて転写物を転写する転写具も開発されている。（例えば、特願２００４―１３７８０７号、図８等参照）
そのような転写具の場合、一方の手に持った転写対象物に対して他方の手で転写具を握って転写対象物の縁部を転写具で挟み込み、その状態から手首の屈曲を使う動作によって転写具を転写対象物の縁部に沿ってスライド移動させる作業をおこなうこととなる。そして同文献ではこの作業における手首の屈曲動作を行う際の問題点として、すなわち手首の屈曲による回動動作によって転写具は概略円周状の軌跡を描いてしまい転写対象物の縁部に正確に沿って転写物を転写しづらいといった点を指摘している。このような場合には転写具を使用する使用者が転写具を正確に移動させるための習熟が必要となると考えられる。
【０００４】
そしてこの点を解消するため、同文献では転写対象物の縁部に当接させるためのガイド部を、転写方向から若干角度偏向させて設け、手首の屈曲による回動によって起こる転写方向のずれを矯正しようとする技術も開示している。
【特許文献１】特開２００２−１７８６９４公報（図２等）
【発明の開示】
【発明が解決しようとする課題】
【０００５】
しかしながら、上述のガイド部を転写方向から偏向させて設けたものであると、実際の転写方向とガイド部によるガイド方向がことなるため、例えば手首の屈曲動作を意識して転写具をスライドさせた場合や、もともと転写方向にていして正確に転写具をスライド移動させた場合などは、ガイド部によってかえって転写物が別の方向に転写されてしまうといった可能性がある。そうなると、かえって使用者に当該転写具に習熟するための余計な作業を要求することや、習熟した場合であっても転写具の使用感について違和感を覚えさせてしまうといった事態も可能性として考えられる。
【０００６】
本発明は、このような不具合に着目したものであり、使用者が違和感なく所望の転写方向に簡単且つ正確に転写し得る転写具を提供する。
【課題を解決するための手段】
【０００７】
本発明は、このような目的を達成するために、次のような手段を講じたものである。すなわち、本発明に係る転写具は、紙等の転写対象物に転写物を転写する転写部を有する転写具本体と、当該転写具本体に付帯させてなる転写対象物受け台とを具備してなり、前記転写具本体と前記転写対象物受け台との間に前記転写対象物を挟んだ状態で前記転写具本体の長手方向である所定の転写方向へスライド移動させることにより前記転写対象物に前記転写物を転写するように構成している転写具であって、前記転写対象物の縁部に当接することにより前記スライド移動時に前記転写対象物を前記転写方向と同方向に案内し得る前記転写具本体に設けられたガイド面と、前記転写方向から前記ガイド面へ向けて所定角度偏向させて配置することにより前記スライド移動時に前記転写対象物を前記ガイド面へ向けて付勢し得る偏向ローラとを具備していることを特徴とする。
【０００８】
このようなものであれば、転写具をスライド移動させる作業時に手首の屈曲を使うスナップ等の都合で転写具と転写対象物とが離反していくことによって、転写物が正確な方向からずれて転写されてしまうといった問題を有効に解消することができる。そして転写方向と同方向に設けたガイド面によって、使用者が違和感なく転写対象物を正確な方向に転写させることができる。
【０００９】
転写対象物をガイド面側にスムーズに付勢するためには、転写具本体側と転写対象物受け台側とのそれぞれ対向する位置に互いに鏡像の位置関係となるように偏向ローラを設けて、これらの偏向ローラが転写対象物における同じ位置を表裏から接する構成とすることが望ましい。
【００１０】
転写対象物に対して転写開始時から正確に転写物を転写し得る構成とするためには、転写部よりも転写方向における転写基端側に偏向ローラを配置することが望ましい。
【００１１】
そして偏向ローラに転写対象物をガイド面に好適に付勢させるための好ましい角度として、偏向ローラを偏向させる所定角度を１度〜１０度に設定することが望ましい。
【００１２】
また、転写対象物受け台を転写具本体に対して所定方向に回転移動させることにより前記転写対象物を挟持し得る挟持可能位置と前記転写部の先端部を表出させてなる転写部表出位置との間で相対移動させる回転移動機構を設けているものであれば、転写対象物の縁部に沿って転写物を転写する態様に限ることなく、所望の位置に転写物を転写し得る態様、すなわち従来の転写具と同様の態様とに好適に使い分けることができる。
【発明の効果】
【００１３】
本発明によれば、手首の屈曲動作等によって転写物が正確な方向からずれて転写されてしまうといった問題を有効に解消することができる。そして転写方向と同方向に設けたガイド面によって、使用者が格別の意識をすることなく且つ違和感なく転写対象物を正確な方向に転写させることができるので、使用者にとって快適に使用し得る転写具を提供することができる。
【発明を実施するための最良の形態】
【００１４】
以下、本発明の一実施の形態について図面を参照して説明する。
【００１５】
この転写具Ａは、図１、図２及び図３に示すように、テープ糊Ｔやそれを送り出す送出機構部品を収容してなる転写具本体１と、糊Ｔｂを転写する際に転写具本体１との間に紙片Ｐを差し挟むための転写対象物受け台２とを主体としてなるものである。
【００１６】
ここで、本実施形態に係る転写具Ａは、転写対象物たる紙片Ｐの縁部Ｐａに当接することによりスライド移動時に紙片Ｐを転写方向と同方向に案内し得るガイド面１２ａと、転写方向からガイド面１２ａへ向けて所定角度偏向させて配置することによりスライド移動時に紙片Ｐをガイド面１２ａへ向けて付勢し得る偏向ローラたる偏向上ローラ１１及び偏向下ローラ２１とを具備しているものである。
【００１７】
以下、転写具Ａの具体的な構造について図１、図２、図３、図４及び図５を用いて詳述する。
【００１８】
転写具本体１は、図１等に示すように、ケース１Ｃと、枠体１０とを主たる構成要素としている。
【００１９】
ケース１Ｃは、概ね半割構造をなすケース本体Ｃ１と詰め替えカートリッジＣ２とによって主に構成している。
【００２０】
ケース本体Ｃ１は、通常は枠体１０や転写対象物受け台２とは分離させない状態で詰め替えカートリッジＣ２のみを交換できるように構成されたものであり、テープ糊Ｔを紙片Ｐに供給するための送出機構部品の一部である非交換部品を保持している。
【００２１】
詰め替えカートリッジＣ２は、その前端部に転写部たる転写ヘッド１Ｈを取り付けている。そして、消耗部品たるテープ糊Ｔと、テープ糊Ｔを紙片Ｐに供給するための送出機構部品の一部である巻き出しスプールＳＰ１、巻き取りスプールＳＰ２、転写ヘッド１Ｈ等を交換部品として、当該詰め替えカートリッジＣ２に付帯させた状態で新品と交換するようにしている。
【００２２】
転写ヘッド１Ｈは、図２及び図３に示すように、巻き出しスプールＳＰ１から巻き出されたテープ糊Ｔとテープ糊Ｔを転写具本体１の外方へ露出させた状態で支持する転写ローラ１Ｒとによって主に構成している。そしてこの転写ローラ１Ｒは、転写ヘッド１Ｈを紙片Ｐに接触させた状態で糊Ｔｂを転写させる転写方向へ転写具Ａ自体をスライドさせた際に、同方向に回転してテープ糊Ｔを送出する。
【００２３】
枠体１０は、図２及び図３に示すように、ケース１Ｃを保持して転写具Ａを使用可能な状態とする機能と、ケース１Ｃをケース本体Ｃ１と詰め替えカートリッジＣ２とに分解可能な状態とする機能とを兼ね備えたものである。具体的にこの枠体１０は、一部を上下に連続して開口させ上述の転写ヘッド１Ｈを下方へ露出させた概略枠状をなした合成樹脂の一体成形品を主体としている。また枠体１０は、偏向上ローラ１１と、垂下壁１２と、上弾性爪１３と、回動軸１４とを具備しており、下方において転写対象物受け台２を回転移動機構Ｒを介して挟持可能位置（Ｘ）と転写部表出位置たる表出位置（Ｙ）との間で回動可能に支持している。
【００２４】
偏向上ローラ１１は、図２、図３及び図４に示すように、転写具本体１の正面視略中央部に最下部を含む一部を枠体１０の外部に露出するように取り付けている。特に本実施形態では、図４に想像線を用いて示すように、偏向上ローラ１１の枠体１０に対する取付角度を例えば転写ローラ１Ｒの取付方向及び後述するガイド面１２ａの延伸方向に対して５度偏向させて取り付けている。ここで、この取付角度は、本実施形態で示す５度に限られることはなく、１度〜１０度の範囲に設定したものであれば本発明に係る効果を十分に享受することができる。そして本実施形態に係る転写具Ａは転写時に紙片Ｐを回転移動機構Ｒを配置した側から転写ヘッド１Ｈを配置した側へとスライド移動させるものである、すなわち、当該偏向上ローラ１１は転写ヘッド１Ｈに対して転写基端側に配置していることとなる。なお本実施形態では偏向上ローラ１１を正面視略中央部に配置することによって転写具本体１の内部において巻き出しスプールＳＰ１の外周と巻き取りスプールＳＰ２の外周とに挟まれた隙間空間に位置付けることにより、転写具本体１内部おける空間の有効利用を図り転写具本体１のコンパクト化に供している。
【００２５】
垂下壁１２は、図３及び図４等に示すように、転写ヘッド１Ｈのやや後方から枠体１０の後端部にかけて下方に突出して形成したものである。また垂下壁１２の後端部から、転写対象物受け台２を回動可能に支持する回動軸１４を突出させている。そして延出壁１２の内面側は、転写方向と同方向に延伸させて設けた平面状のガイド面１２ａと、偏向上ローラ１１及びその取付箇所に干渉しないように設けられ、且つ転写対象物受け台２を挟持可能位置とした状態において偏向下ローラ２１への干渉を回避する凹面１２ｂとを形成している。
【００２６】
上弾性爪１３は、図２、図３及び図４に示すように、垂下壁１２と同じく枠体１０から下方へ突出しており、後述する下弾性爪２３と互いに係り合うことにより、転写対象物受け台２を挟持可能位置に維持するためのものである。詳細には、下弾性爪２３に対して転写ローラ１Ｒと後述する補助ローラ２０との距離が若干寸法離間した位置において上弾性爪１３と下弾性爪２３とが係り合うことにより、挟持可能位置（Ｘ）では、転写ローラ１Ｒに支持されたテープ糊Ｔと補助ローラ２０とが紙片Ｐを表裏から挟んだ位置から上記テープ糊Ｔと後述する補助ローラ２０とが若干寸法離間した上記位置との間でのみ回動し得るように構成している。また、上弾性爪１３と下弾性爪２３とが係り合った状態から転写対象物受け台２を離間させる方向に相対移動させると両弾性爪１３、２３の係り合いが解除され、転写対象物受け台２は、図３及び図４に示す表出位置（Ｙ）を取り得る状態となる。
【００２７】
回動軸１４は、垂下壁１２の後端部且つ最下部付近から突出し後述する軸受け２４と回転可能に係り合うことにより回転移動機構Ｒを構成し得るものである。また回動軸１４と軸受け２４との係合箇所には図示しない弾性部材が内蔵されており、前記挟持可能位置（Ｘ）において転写ローラ１Ｒと補助ローラ２０との意図しない接触を回避するための弾性付勢力を付与している。
【００２８】
転写対象物受け台２は、図１、図２、図３及び図４に示すように、上述の通り転写具本体１に対して回転移動機構Ｒを介して回動可能に取り付けられてものであり、補助ローラ２０と、偏向下ローラ２１と、壁収容部２２と、下弾性爪２３と、軸受け２４とを主に有している。
【００２９】
補助ローラ２０は、図２、図３及び図４に示すように、転写ローラ１Ｒに対向する位置に、上端部を含む一部が転写対象物受け台２から露出するように取り付けられ、転写ローラ１Ｒとともに紙片Ｐに接することによって、紙片Ｐと転写ヘッド１Ｈとの相対移動をスムーズに行わせるものである。
【００３０】
偏向下ローラ２１は、図２、図３及び図４に示すように、本実施形態では偏向上ローラ１１に対向する位置に配置したものである。すなわち、図４に想像線を用いて示すように、転写対象物受け台２に対する取付角度を、転写ローラ１Ｒの取付方向及び後述するガイド面１２ａの延伸する方向に対して例えば５度偏向させて取り付けて、回動軸１４を境界にして前記偏向上ローラ１１とは互いに鏡像の位置関係となるよう取り付けられる。そして紙片Ｐを挟んだ状態において偏向上ローラ１１とともに紙片Ｐに対して表裏から接した状態を構成することによって、後述する紙片Ｐへの付勢を有効に行わることが可能となる。
【００３１】
壁収容部２２は、図４に示すように、転写対象物受け台２を挟持可能位置（Ｘ）とした際に、延出片の下端部を内部に収容するための空間である。これにより、転写具本体１と転写対象物受け台２とのスムーズな相対動作を可能にしている。
【００３２】
下弾性爪２３は、図３及び図４に示すように、上述の通り、上弾性爪１３に適宜係り合うことにより、転写対象物受け台２を挟持可能位置（Ｘ）に好適に維持し得るものである。
【００３３】
軸受け２４は、図２及び図３に示すように、回動軸１４との係り合いによって、上述の通り、転写対象物受け台２を挟持可能位置（Ｘ）と表出位置との間で好適に回動させることにより、回転移動機構Ｒを好適に構成するものである。
【００３４】
しかして本実施形態に係る転写具Ａは、上述した偏向上ローラ１１及び偏向下ローラ２１と、ガイド面１２ａとを設けることにより、紙片Ｐを挟んだ状態で転写方向へスライド移動する際に、紙片Ｐをガイド面１２ａへ向けて付勢して、紙片Ｐの縁部Ｐａがガイド面１２ａに正確に当接してガイドし得るものとなっている。
【００３５】
以下、転写具Ａに紙片Ｐを挟持させスライド移動させながら、紙片Ｐの縁部Ｐａに沿って糊Ｔｂを転写する一連の動作について、図５、図６、図７及び図８を用いて詳述する。
【００３６】
まず図５に示すように、紙片Ｐに糊Ｔｂを転写していく過程において、偏向上ローラ１１及び偏向下ローラ２１とが、上述のように５度偏向して取り付けられている。すなわち、偏向上ローラ１１及び偏向下ローラ２１が紙片Ｐに接しながら回転するとき、転写方向よりも５度ガイド面１２ａよりに偏向した角度をもって紙片Ｐを送り出すこととなる。
【００３７】
そして図６、図７及び図８に示すように、使用者が転写具Ａを手で掴み、主に手首の屈曲動作によって転写具Ａを転写方向へスライドさせる一連の動作の際、偏向上ローラ１１及び偏向下ローラ２１が転写方向から５度偏向した方向に紙片Ｐを送り出すことにより、紙片Ｐの端部Ｐａはガイド面１２ａへ当接する方向へ移動するか或いは、ガイド面１２ａに当接した状態が維持されることとなる。なお同図において紙片Ｐが付勢される方向を矢印で模式的に示している。そして図７及び図８に示すように、手首の屈曲を使うスナップ動作等により、端部Ｐａとガイド面１２ａとが離間する方向への意図しない方向の力が付勢された場合であっても、偏向上ローラ１１及び偏向下ローラ２１による付勢力が前記意図しない方向の力を相殺することによって紙片Ｐはガイド面１２ａが延びる方向、すなわち転写方向へと矯正しながら正確にスライド移動することとなる。特に図６に示すように、転写開始時（或いは転写直前）において、同図に想像線で示す紙片Ｐのように、未だ糊を転写していない状態において紙片Ｐの端部Ｐａが転写方向とは若干角度ずれて配置した場合においても、転写ローラ１Ｒよりも転写基端側に偏向上ローラ１１及び偏向下ローラ２１が位置しているので、当該偏向上ローラ１１及び偏向下ローラ２１によって紙片Ｐの端部Ｐａの向きが矯正され、糊Ｔｂは転写開始時から転写方向へ正しく転写されることとなる。勿論図７に示すような転写途中において、誤って紙片Ｐの位置をずらしてしまった場合においても、偏向上ローラ１１及び偏向下ローラ２１によって紙片Ｐの端部Ｐａの向きが糊Ｔｂを転写しながら矯正されることとなる。
【００３８】
また転写具Ａは、回動軸１４と軸受け２４とによって、これら転写具本体１と転写対象物受け台２とを回転可能に接続する回転移動機構Ｒを構成しているので、例えば机上等に載置された紙片Ｐの所望の位置に糊Ｔｂを転写したい場合や既存の転写具と同様に使用したい場合には、転写対象物受け台２を下方に回転移動させて転写ヘッド１Ｈを表出させた図３に示す表出位置（Ｙ）とすればよい。
【００３９】
以上のように、本実施形態に係る転写具Ａは、転写方向と同方向に案内し得るガイド面１２ａと、転写方向からガイド面１２ａへ向けて所定角度である５度偏向させて配置した偏向ローラたる偏向上ローラ１１及び偏向下ローラ２１とを具備しているので、紙片Ｐをスライド移動する際に手首の屈曲を使うスナップ等の都合（図６、図７及び図８）で転写具Ａと紙片Ｐとが離反していくことによる、転写物たる糊Ｔｂのずれを有効に解消することができ、転写方向と同方向に設けたガイド面１２ａに紙片Ｐを正確にガイドさせ得るものとなっている。斯かる構成により、使用者が手首の屈曲を使うスナップや肘の回動などを気にすることなく自然な動作で転写具Ａをスライドさせることによって、正確に紙片Ｐの縁部Ｐａに沿って転写物たる糊Ｔｂを転写することができる。また勿論、使用者が転写方向を意識しながら転写具Ａをスライドさせた場合であっても、ガイド面１２ａと転写ローラ１Ｒの回転方向すなわち転写方向とを同一方向に設定しているので、糊Ｔｂが紙片Ｐの縁部Ｐａから内方へ食い込んでいくほどずれて転写されるといったことも有効に回避している。
【００４０】
また、転写具本体１側と転写対象物受け台２側とのそれぞれ対向する位置に偏向上ローラ１１及び偏向下ローラ２１を設けているので、紙片Ｐにおける同じ位置を表裏から挟み込みながら紙片Ｐを送り出す構成とすることにより、紙片Ｐをガイド面１２ａ側にスムーズに付勢し得るものとなっている。またこれら偏向上ローラ１１及び偏向下ローラ２１を転写部たる転写ヘッド１Ｈよりも先に紙片Ｐに接し得る転写基端側に配置しているので、予め紙片Ｐを偏向した方向へ付勢し、ガイド面１２ａに位置決めした状態として、転写の始めの段階から正確な位置及び方向とした状態で、紙片Ｐが転写ヘッド１Ｈに接し得るものとなっている。そして、偏向ローラたる偏向上ローラ１１及び偏向下ローラ２１を偏向させる角度を、本実施形態では５度、すなわち上述した１度〜１０度の範囲内に設定することによって、当該角度が大きすぎて紙片Ｐが不自然に付勢されることによる皺等の出現を有効に回避しつつ、前記角度が小さすぎることによって、十分な付勢力が得られないといったことを有効に回避している。すなわち、スライド動作に係る操作力を適度な付勢力に変換して好適に糊Ｔｂを転写し得るものとなっている。
【００４１】
以上、本発明の実施形態について説明したが、各部の具体的な構成は、上述した実施形態のみに限定されるものではなく、本発明の趣旨を逸脱しない範囲で種々変形が可能である。
【００４２】
例えば、上記実施形態において、偏向上ローラは枠体に設けたものとしていたが、カートリッジに付帯させて設ける交換部品としても良い。また、偏向ローラを偏向させる角度は上述した角度に限定されることはなく、ローラの大きさや形状等により、種々の角度に設定することができる。さらに、偏向ローラは、それぞれ単一のローラとすることを限定するものではなく、複数のローラをそれぞれ対向させて設けた構成や、複数のローラの外周にキャタピラ状の覆帯を設け、無限軌道を構成するものとしても良い。
【００４３】
その他、各部の具体的構成についても上記実施形態に限られるものではなく、本発明の趣旨を逸脱しない範囲で種々変形が可能である。
【図面の簡単な説明】
【００４４】
【図１】本発明の一実施形態に係る転写具を示す外観図。
【図２】同実施形態に係る転写具を示す正面図。
【図３】同実施形態に係る転写具の他の態様を示す正面図。
【図４】図３に対応する底面図。
【図５】同実施形態に係る模式的な断面図。
【図６】同実施形態に係る動作説明図。
【図７】同上。
【図８】同上。
【符号の説明】
【００４５】
１…転写具本体
１Ｈ…転写部（転写ヘッド）
１１…偏向ローラ（偏向上ローラ）
１２ａ…ガイド面
２…転写対象物受け台
２１…偏向ローラ（偏向下ローラ）
Ａ…転写具
Ｐ…転写対象物（紙片）
Ｐａ…転写対象物の縁部（縁部）
Ｔｂ…転写物（糊）
Ｒ…回転移動機構
Ｘ…挟持可能位置
Ｙ…転写部表出位置（表出位置）
【図１】
0004774531.tif 000002
【図２】
0004774531.tif 000003
【図３】
0004774531.tif 000004
【図４】
0004774531.tif 000005
【図５】
0004774531.tif 000006
【図６】
0004774531.tif 000007
【図７】
0004774531.tif 000008
【図８】
0004774531.tif 000009